(57)【特許請求の範囲】
【請求項１】
遮蔽本体の上端に忍び返しが起立状態で設けられた遮蔽体であって、前記忍び返しが前記遮蔽本体に対して倒伏可能なように弾性的に支持され、更に前記忍び返しは、上下方向に配された支杆と、該支杆に固定された侵入防止材とを備え、前記支杆はばね材で形成され、前記支杆の下部は遮蔽本体の支柱に取り付けられたことを特徴とする遮蔽体。
【発明の詳細な説明】
【０００１】
【発明の属する技術分野】
本発明は、侵入者の敷地内への侵入を防止する忍び返しを備えたフェンス、門扉、塀等の遮蔽体に関する。
【０００２】
【従来の技術】
従来より、家屋、学校、病院等の施設では、フェンス、門扉、塀等の上部に忍び返しを設け、泥棒等の侵入を防止している。図１１〜１３は、従来の忍び返しが設けられたフェンスを示す図である。同図によれば、フェンスは、基礎に立設された遮蔽本体３１と、その上端に設けられた忍び返し３２とからなる。遮蔽本体３１は、複数の支柱３３と、胴縁パイプ３４に支持された菱形網３５と、支柱３３と胴縁パイプ３４とを固定する継手３６とを備え、隣り合う支柱３３の間に菱形網３５が配置され、継手３６に支柱３３および胴縁パイプ３４が嵌合されてボルトナットで固定されている。忍び返し３２は、支柱３３が延長された支杆３７と、これにＵボルト３８によって固定された有刺鉄線３９とで構成され、支杆３７は継手３６に固定されている。
【０００３】
図１４は、従来の他のフェンスを示す図である。同図によれば、フェンスの支柱４１は、その上部が斜めに折れ曲がっており、各支柱４１の間に格子網４２がボルトナットにより取り付けられている。そして、この格子網４２の上側に、傾斜した忍び返し４３が設けられている。
【０００４】
【発明が解決しようとする課題】
上記フェンスにおいては、忍び返しが遮蔽本体に固定されていたり、遮蔽本体と一体になっているので、侵入者がフェンスを乗り越えようとした場合、忍び返しの一部に体重をかけても忍び返しの姿勢は変わらない。そのため、有刺鉄線に毛布をかければ、フェンスを容易に乗り越えることができる場合がある。
【０００５】
そこで、本発明は、上記に鑑み、侵入者が侵入しにくい構造の忍び返しを備えた遮蔽体の提供を目的とする。
【０００６】
【課題を解決するための手段】
本発明は、遮蔽本体の上端に忍び返しが起立状態で設けられた遮蔽体であって、前記忍び返しが前記遮蔽本体に対して倒伏可能なように弾性的に支持され、更に前記忍び返しは、上下方向に配された支杆と、該支杆に固定された侵入防止材とを備え、前記支杆はばね材で形成され、前記支杆の下部は遮蔽本体の支柱に取り付けられたことを特徴とする。
【０００７】
上記構成によれば、侵入者が遮蔽体を乗り越えようとして、忍び返しに体重をかけたり体重を移動させたりすると、その動きに応じて忍び返しの姿勢は起立状態と倒伏状態との間で定まらない。そのため、侵入者は遮蔽体を乗り越えることが困難となる。
【０００８】
【発明の実施の形態】
以下、本発明の実施の形態を添付図面を参照して詳細に説明する。
【０００９】
＜第１実施形態＞
図１は、本発明の第１実施形態に係る遮蔽体の忍び返しの側面図であり、図２は、遮蔽体としてのフェンスを示す正面図であり、図３は、フェンスの要部拡大正面図である。同図を参照して、フェンスは、遮蔽本体１と、その上端に設けられた忍び返し２とを備えている。
【００１０】
遮蔽本体１は、基礎に立設された複数の金属パイプ製支柱３と、上下両端が胴縁パイプ４に支持され左右両端が支持棒５に支持された菱形網６と、支柱３および胴縁パイプ４を固定する略Ｔ字状の継手７とを備えている。継手７は、支柱３の上端に被せられ、ボルトナット８により固定される。なお、遮蔽本体１は、学校等の門扉のように下端に車輪を設けて移動可能としてもよい。
【００１１】
忍び返し２は、上下方向に配された安価で細い金属パイプ製支杆１０と、支杆１０にＵボルト１１によって固定された侵入防止材としての複数本の有刺鉄線１２とからなり、支杆１０は、継手７に弾性体１３を介して取り付けられている。これにより、忍び返し２は、遮蔽本体１に対して起伏可能なように弾性的に支持される。
【００１２】
弾性体１３は、金属製薄板を蛇腹状に加工した薄板ばねからなり、その上端部はボルトナット１４で支杆１０の下部の内側面に固定され、下端部は、図４に示すように、継手７の外側面に沿わされ、ボルトナット１５によって固定されている。そして、このように取り付けることにより、忍び返し２は遮蔽本体１より外側に位置して、弾性体１３によって少し傾斜した起立状態に保持されている。なお、図４中、１６はワッシャーを示す。また、支杆１０は、パイプ状に限らず、平板状に形成されていてもよい。また、弾性体１３は、円弧状に湾曲された薄板ばね、コイルばね、あるいは棒状のゴムでもよい。
【００１３】
このような構成により、侵入者がフェンスを乗り越えようとした場合、忍び返し２は、弾性体１３を介して起伏可能なように支柱３に取り付けられているため、図５に示すように、忍び返し２に体重をかけたり体重を移動させたりすれば、支杆１０が外側に向けて倒れたり、あるいは支杆１０が隣の支杆１０の倒れに引きつられて左右方向に傾きながら倒れたりして、忍び返し２の姿勢が倒伏状態へと変化する。そのため、忍び返し２に手をかけても、忍び返し２はぐらぐらして不安定であり、しかも水平に張り出した状態となって、フェンスを乗り越えるのが非常に困難となる。したがって、侵入者の侵入を困難にすることができる。
【００１４】
また、支杆１０の弾性体１３は、上記したように、従来から用いられているボルトナットを利用して支杆１０および支柱３に取り付けられる。そのため、忍び返し２の取り付け作業を容易にし、既存のフェンスにも短時間でかつ簡単に取り付け得る。
【００１５】
＜第２実施形態＞
この実施形態では、忍び返し２の支杆１０自身がばね材で形成され、支杆１０の下部が遮蔽本体１の支柱３に取り付けられている。具体的には、図６に示すように、支杆１０は、中央から上部が平板状に下部が蛇腹状に形成されている。そして、その上部にＵボルト１１によって有刺鉄線１２が固定されている。支杆１０の下端は、ボルトナット１５によって継手７に取り付けられている。その他の構成については、第１実施形態と同様である。
【００１６】
この構成においても、侵入者が忍び返し２に体重をかけたりすれば、それに応じて忍び返し２の姿勢が変化するので、侵入者がフェンスを乗り越えるのは困難となり、侵入者の侵入を防止することができる。また、支杆１０は、ボルトナット１５により容易に支柱３に取り付けることができ、忍び返し２の取付作業を軽減できる。
【００１７】
また、支杆１０はそれ自身がばね材で形成されることにより、第１実施形態で示した支杆１０および弾性体１３が一体的になるので、上記実施形態に比べ、部品点数が減り、組立作業を容易にできる。
【００１８】
＜第３実施形態＞
この実施形態では、図７，８に示すように、忍び返し２の支杆１０が支柱３に取り付けられた支持軸１７に回転自在に支持され、支杆１０を起立状態に保持する弾性部材としてのばね線材１８が設けられている。具体的には、支柱３の上端に嵌め込まれたキャップ１９に、断面コ字状のブラケット２０が溶接されて取り付けられ、ブラケット２０の側面に貫通孔２０ａが形成されている。さらに、金属パイプ製の支杆１０の下端近傍に貫通孔１０ａが形成され、両貫通孔１０ａ，２０ａをボルトからなる支持軸１７が貫通して、ナット２１によって抜けないように固定される。
【００１９】
また、図９に示すような中央にリング２２を形成したばね線材１８は、リング２２に支持軸１７を挿入して、上部が支杆１０内部の案内板２３に形成された支持孔２４を貫通して、これに支持され、下部がブラケット１８の底面に形成された孔２５に嵌め込まれ、切起し爪２６によって両側から挟持されて支持されている。すなわち、支杆１０は、ばね線材１８により起立状態に保持され、外部からの力によって傾倒しても、ばね線材１８の復元力により起立状態に戻される。
【００２０】
この実施形態では、図７における格子網２７、および忍び返し２の侵入防止材は、横線材２７ａおよび縦線材２７ｂが組み合わされて構成されており、支柱３あるいは支杆１０にバンド２８によって支持されている。このような構成を第１，第２実施形態に適用させてもよい。なお、図９中、２９はばね線材１８の切目を示す。その他の構成については、第１実施形態と同様である。
【００２１】
上記構成においても、侵入者が忍び返し２に体重をかけたりすれば、それに応じて忍び返し２の姿勢が変化するので、侵入者がフェンスを乗り越えるのは困難となる。ただし、この場合、忍び返し２は、図１０に示すように、前後方向にのみしか姿勢が変化しない。
【００２２】
なお、本発明は、上記実施形態に限定されるものではなく、本発明の範囲内で上記実施形態に多くの修正および変更を加え得ることができる。
【００２３】
【発明の効果】
以上のように、この発明によると、忍び返しが遮蔽本体に対して起伏可能なように弾性的に支持されているので、侵入者がフェンス等の遮蔽体を乗り越えようとしても、忍び返しは侵入者の体重またはその移動に応じてその姿勢が起立状態と倒伏状態との間で定まらず、侵入者はフェンスを乗り越えることが困難となり、その侵入を難しくすることができる。
【図面の簡単な説明】
【図１】本発明の第１実施形態に係る忍び返しの側面図
【図２】同じくフェンスの正面図
【図３】同じくフェンスの要部拡大正面図
【図４】弾性体と継手の取付構造を示す図
【図５】忍び返しの姿勢が変化したときの状態を示す図
【図６】第２実施形態に係る忍び返しの側面図
【図７】第３実施形態に係るフェンスの正面図
【図８】支杆の取付構造を示し、(a) は正面断面図、(b) は側面断面図
【図９】ばね線材の外観図
【図１０】忍び返しの姿勢が変化したときの状態を示す図
【図１１】従来の忍び返しを備えたフェンスの正面図
【図１２】同じく要部拡大正面図
【図１３】同じく側面図
【図１４】従来の他の忍び返しを備えたフェンスの外観を示し、(a) は側面図、(b) は正面図
【符号の説明】
１    遮蔽本体
２    忍び返し
３    支柱
１０    支杆
１２    有刺鉄線
１３    弾性体
１７    支持軸
１８    ばね線材
【図１】
0004014302.tif 000002
【図２】
0004014302.tif 000003
【図３】
0004014302.tif 000004
【図４】
0004014302.tif 000005
【図５】
0004014302.tif 000006
【図６】
0004014302.tif 000007
【図７】
0004014302.tif 000008
【図８】
0004014302.tif 000009
【図９】
0004014302.tif 000010
【図１０】
0004014302.tif 000011
【図１１】
0004014302.tif 000012
【図１２】
0004014302.tif 000013
【図１３】
0004014302.tif 000014
【図１４】
0004014302.tif 000015